(57)【特許請求の範囲】
【請求項１】
入力した複数のチャンネルの信号の中から復調すべきチャンネルの信号を分離し、かつ利得制御可能な増幅器を有する選局手段と、前記選局手段によって分離された信号の大きさを検出可能であり、かつ前記分離された信号をデジタルデータに復調可能な復調手段を有し、前記選局手段で分離した信号を前記復調手段に入力して前記復調手段で検出した入力信号の大きさに応じて前記選局手段の増幅器の利得を制御する受信装置において、
復調しようとするチャンネルの信号を分離するよう前記選局手段を設定する以前に前記選局手段により分離されている前記復調手段の入力信号の大きさが基準値以上でない場合に、復調しようとするチャンネルを分離するよう前記選局手段を設定した後の前記復調手段が復調を開始するまでの時間を、前記復調手段の入力信号の大きさが基準値以上である場合と異なる短い時間にすることを特徴とする受信装置の受信方法。
【請求項２】
入力した複数のチャンネルの信号の中から復調すべきチャンネルの信号を分離し、かつ利得制御可能な増幅器を有する選局手段と、前記選局手段によって分離された信号の大きさを検出可能であり、かつ前記分離された信号をデジタルデータに復調可能な復調手段を有し、前記選局手段で分離した信号を前記復調手段に入力して前記復調手段で検出した入力信号の大きさに応じて前記選局手段の増幅器の利得を制御する受信装置において、
復調しようとするチャンネルを分離するよう前記選局手段を設定した後の前記選局手段から前記復調手段に入力された信号の大きさに応答し、基準値以上である場合に、復調を試みることなく終了し、前記入力された信号の大きさが基準値以上でない場合に復調を試みることを特徴とする受信装置の受信方法。
【請求項３】
入力した複数のチャンネルの信号の中から復調すべきチャンネルの信号を分離し、かつ利得制御可能な増幅器を有する選局手段と、前記選局手段によって分離された信号の大きさを検出可能であり、かつ前記分離された信号をデジタルデータに復調可能な復調手段を有し、前記選局手段で分離した信号を前記復調手段に入力して前記復調手段で検出した入力信号の大きさに応じて前記選局手段の増幅器の利得を制御する受信装置において、
復調しようとするチャンネルを分離するよう前記選局手段を設定した後の前記選局手段から前記復調手段に入力された信号の大きさが基準値以下である場合に、該信号の大きさが基準値以下でなくなるまで待ち、該信号の大きさが基準値以下でなくなった後に前記復調手段による復調処理を開始することを特徴とする受信装置の受信方法。
【発明の詳細な説明】
【０００１】
【発明の属する技術分野】
本発明は，衛星，地上波，ＣＡＴＶ（Ｃａｂｌｅ  Ｔｅｌｅｖｉｓｉｏｎ）などのデジタル放送受信端末や高速デジタル通信装置に利用される受信装置の受信方法に関する。
【０００２】
【従来の技術】
デジタルテレビジョン放送の受信端末など使用される受信装置には、ＲＦ（Ｒａｄｉｏ  Ｆｒｅｑｕｅｎｃｙ）入力信号の受信場所や受信チャンネルの差異などによって生じている振幅変化に追従するための自動利得制御が必要である。
【０００３】
自動利得制御は，一般に，チューナやダウンコンバータに含まれる可変利得増幅器と，デジタル復調回路に含まれる振幅検出回路によって構成される。振幅検出回路は，デジタル復調回路に入力される信号の振幅が適正となるようチューナの可変利得増幅器をフィードバック制御する。
【０００４】
アナログ方式のテレビジョン放送受信装置等においては、自動利得制御と復調動作開始に時間上の明確な前後関係はない。これに対しデジタル方式の受信装置では、チューナの利得制御が安定してからデジタル復調動作を開始する必要があるため、放送状態やチューナの特性に応じて利得制御に必要な最大の時間だけ待った後に復調動作を開始する必要があった。
【０００５】
【発明が解決しようとする課題】
上記のようにデジタル方式の受信装置では、放送状態やチューナの特性に応じて利得制御に必要な最大の時間だけ待った後に復調動作を開始する必要があった。
【０００６】
しかしながら、実際にはチューナの利得制御にかかる時間は選局したチャンネルの放送の有無やチューナの利得の周波数特性などによって一定ではない。したがって、従来はチューナの利得制御にかかる最大の時間だけ待った後にデジタル復調動作を開始していた。そのため、実際に必要な待ち時間が少ない場合にも最大の時間だけ待つ必要があり、選局時間の短縮化を妨げていた。
【０００７】
本発明の目的は，デジタル方式のテレビジョン放送などに使用する受信装置において，デジタル復調動作を開始するタイミングを最適化し、短い選局時間で安定して選局可能な受信装置を安価に提供することにある。
【０００８】
【課題を解決するための手段】
上記課題を解決する為に、本発明は、以下の受信方法を有する。
【０００９】
１）復調しようとするチャンネルの信号を分離するよう選局手段を設定する以前に選局手段により分離されている復調手段の入力信号の大きさが基準値以上でない場合に、復調しようとするチャンネルを分離するよう選局手段を設定した後、復調手段が復調を開始するまでの時間を、復調手段の入力信号の大きさが基準値以上である場合と異なる短かい時間にする。
【００１０】
２）復調しようとするチャンネルを分離するよう選局手段を設定した後の選局手段から復調手段に入力された信号の大きさに応答し、基準値以上である場合に、復調を試みることなく終了し、前記入力された信号の大きさが基準値以上でない場合に復調を試みる。
【００１１】
３）復調しようとするチャンネルを分離するよう選局手段を設定した後の選局手段から前記復調手段に入力された信号の大きさが基準値以下である場合に、該信号の大きさが基準値以下以上でなくなるまで待ち、該信号の大きさが基準値以下でなくなった後に復調手段による復調処理を開始する。
【００１２】
４）復調手段が、入力した信号の周波数領域における向きを等価的に反転して復調可能な復調手段であり、入力信号の周波数領域における一方の向きをもって復調を試み、正しく復調できない場合に入力信号の周波数領域における他方の向きをもって復調を試みる。
【００１３】
５）受信装置が動作を開始した後の最初の復調開始処理においてデジタル復調手段及びデータ変換手段の動作開始処理を行ない、２回目以降の復調開始処理においてデジタル復調手段の動作開始処理を行なわず、データ変換手段の動作開始処理を行なう。
【００１４】
【発明の実施の形態】
発明の実施の形態を実施例に基づき図面を参照して説明する。
図１及び図２はチューナのＡＧＣ（Ａｕｔｏｍａｔｉｃ  Ｇａｉｎ  Ｃｏｎｔｒｏｌ）電圧の時間変化を示す図、図３は本発明の第１実施例の受信装置の受信方法を示すフローチャート図、図８は受信装置の構成を示すブロック図である。図８において、８０１はＲＦ（Ｒａｄｉｏ  Ｆｒｅｑｕｅｎｃｙ）入力信号、８０２はチューナおよびダウンコンバータ、８０３は復調入力信号、８０４はＱＡＭ（Ｑｕａｄｒａｔｕｒｅ  Ａｍｐｌｉｔｕｄｅ  Ｍｏｄｕｌａｔｉｏｎ）復調装置、８０５はデジタル出力データ、８０６はＡＧＣ電圧、８０７はＱＡＭ復調装置制御信号、８０８はＱＡＭ復調装置状態検出信号、８０９はマイコン（マイクロプロセッサ）である。
【００１５】
以下，図１、図２、図３及び図８を説明する。
【００１６】
本発明の受信装置は例えば図８に示す構成からなる。図８におけるＡＧＣ電圧８０６は、復調入力信号８０３の振幅の大きさに応じて変わる。本実施形態では、復調入力信号８０３の振幅が基準値より大きい場合にはＡＧＣ電圧８０６を小さくする制御を行なうものとする。ＡＧＣ電圧８０６の制御の向きは逆の場合もある。
【００１７】
図８におけるＡＧＣ電圧８０６の時間的変化を示したものが、図１及び図２である。図１は、これから復調しようとするチャンネル（新チャンネル）の以前に設定されていたチャンネル（旧チャンネル）で放送が行なわれてなく、これから復調しようとするチャンネル（新チャンネル）では放送が行なわれている場合のＡＧＣ電圧１０１の変化を示す。図２は旧チャンネル、新チャンネルとも放送が行なわれているが、それぞれのチャンネルの信号レベルやそれぞれのチャンネルに対するチューナのゲインが異なる場合のＡＧＣ電圧２０１の変化を示している。
【００１８】
図３における処理方法は、例えばマイコン８０９において実行される。図３において、ステップ３０２は図２のＡＧＣ電圧２０１の選局前の電圧２０３を検出する。ただし、ＡＧＣ電圧２０１は図８の復調入力信号８０３の振幅の大きさに応じて変化する。図２の場合のように、旧チャンネルＡＧＣ電圧２０３が判定基準電圧２０２よりも大きくない場合は、ステップ３０２からステップ３０４に分岐する。ステップ３０４はＱＡＭ復調装置８０４が復調処理を開始するまでの待ち時間を、あらかじめ定めてある通常の値に設定する。
【００１９】
一方、図１に示すように、旧チャンネルＡＧＣ電圧１０２が判定基準電圧１０３よりも大きい場合は、ステップ３０２からステップ３０３に分岐する。ステップ３０３はＱＡＭ復調装置８０４が復調処理を開始するまでの待ち時間を、ステップ３０４の場合より長い時間に設定する。
【００２０】
図３の次のステップ３０５において、新チャンネルを選局するためにチューナの受信チャンネルを変更し、ステップ３０６において、ステップ３０３またはステップ３０４のいずれかで設定した時間だけ待つ。さらに、ステップ３０７においてＱＡＭ復調装置８０４のＱＡＭ復調動作を開始する。
【００２１】
なお、本実施例では旧チャンネルのＡＧＣ電圧を基準値と比較して待ち時間を決定しているが、旧チャンネルのＡＧＣ電圧の値に応じて復調動作開始までの待ち時間を変化させても良い。また、本実施形態は処理の流れを示しているが、状態遷移によって制御しても良い。
【００２２】
図１に示すように、旧チャンネルの放送が行なわれていないため旧チャンネルの復調入力信号レベルが小さく、新チャンネルで放送が行なわれているため新チャンネルの復調入力信号が大きい場合には、ＡＧＣ電圧１０１の収束時間１０６が大きくなる。一方、図２に示すように旧チャンネルと新チャンネルと両方で放送が行なわれている場合は、ＡＧＣ電圧２０１の収束時間２０６は図１の場合より短い。従来技術では、図２のような場合においても図１のような長い収束時間だけ待った後に復調動作を開始していたため全体の選局時間を短縮することができなかった。
【００２３】
これに対し、本発明の本実施例によれば、図１に示す場合のように旧チャンネルの放送が行なわれていない場合のみ復調待ち時間１１０を延長するため、図２のように旧チャンネルでも放送が行われている通常の場合には、より短い復調待ち時間２１０のみで済ませることができ、全体の選局時間を短縮することができる効果がある。
【００２４】
図４は本発明の第２実施例の受信装置の受信方法を示すフローチャート図である。以下図４、図９、および図８に従って説明する。図８は第１実施例の場合と同様である。
【００２５】
図４における処理方法は、例えばマイコン８０９において実行される。ステップ４０２においてチューナの受信チャンネルを変更する。ステップ４０３において図９のＡＧＣ電圧９０１の変化が収束する程度の時間待つ。次に、ステップ４０４においてＡＧＣ電圧９０１が判定基準電圧９０２以上であるかどうかを検出し、以上である場合にはステップ４０８に分岐する。
【００２６】
ＡＧＣ電圧９０１が判定基準電圧９０２以上でない場合は、ステップ４０５において、ＱＡＭ復調装置８０４で復調を行なうための制御を行なう。
【００２７】
次のステップ４０６では、ＱＡＭ復調開始が成功したか即ち正しいデータがでているかどうかをＱＡＭ復調装置状態検出信号８０８によって検出し、正しく成功した場合にはステップ４０７に、成功しない場合にはステップ４０８を実行する。
【００２８】
図９に示すように、新チャンネルの放送が行なわれていない場合においても、従来はＱＡＭ復調装置８０４において復調を試み、その結果正しく復調できないことを検出して、新チャンネルの放送がないことを認識していた．このため、新チャンネルの放送が無いにもかかわらず復調処理にかかる時間を消費、放送の有無を調べるためのチャンネルサーチ等に長い時間を要していた。
【００２９】
これに対し、本発明の本実施例によれば、新チャンネルの放送が行なわれていない図９のような場合に、ＱＡＭ復調を試みる前にＡＧＣ電圧によって信号の有無を検出することができる。このため、新チャンネルの放送が無い場合に高速に選局処理から復帰することができ、チャンネルサーチ等の処理を非常に高速に行なうことが可能になる効果がある。
【００３０】
図５は本発明の第３実施例の受信装置の受信方法を示すフローチャート図である。図８は前記の実施例の場合と同様である。図５の処理方法は、例えば図８のマイコン８０９によって実行される。
【００３１】
以下図５及び図８に従って説明する。
【００３２】
図５において、ステップ５０２でチューナの受信チャネルを新チャンネルに変更する。ステップ５０５において新チャンネルのＡＧＣ電圧８０６が判定基準以下であるかどうか検出し、以下である場合は、ステップ５０４において一定時間待った後再びステップ５０５を実行する。
【００３３】
ステップ５０５において新チャンネルのＡＧＣ電圧８０６が判定基準値以下でない場合は、ステップ５０６において一定時間待った後にステップ５０７においてＱＡＭ復調を開始する。
【００３４】
チューナＡＧＣの時定数が大きく、旧チャンネルに放送が無く新チャンネルに放送がある場合に、新チャンネル選局後にＡＧＣ電圧がしばらくの時間最小値のままになる場合がある。本発明の本実施例によれば、このような場合においても適切な復調待ち時間９１０を設定することが可能であり、安定した復調動作を行なうことができる。また、旧チャンネルにも新チャンネルにも放送が行われている場合には復調待ち時間９１０はより短い時間でよく、選局時間の増大を抑制することが可能となる効果がある。
【００３５】
図６は本発明の第４実施例の受信装置の受信方法を示すフローチャートである。図８は前記の実施例の場合と同様である。図６の処理方法は、例えば図８のマイコン８０９によって実行される。以下図６及び図８に従って説明する。
【００３６】
ステップ６０２においてチューナの受信チャンネルを変更する。ステップ６０３において一定時間待つ。ステップ６０４においてＱＡＭ復調装置８０４で復調する信号のスペクトラムを受信装置での基準の向きに設定する。ステップ６０５において、ＱＡＭ復調装置８０４の復調動作を開始する。
【００３７】
ステップ６０６において、ＱＡＭ復調装置状態検出信号８０８によって、ＱＡＭ復調装置８０４が正しくデータを復調できたかどうか検出し、正しく復調されている場合はステップ６１０へ分岐、そうでない場合はステップ６０７へ分岐する。ステップ６０７において、ＱＡＭ復調装置８０４において復調する信号のスペクトラムの向きを基準と逆の向きに設定する。ステップ６１２においてＱＡＭ復調装置８０４で復調動作を開始する。
【００３８】
ステップ６０８ではＱＡＭ復調装置状態検出信号８０８によって、ＱＡＭ復調装置８０４が正しくデータを復調できたかどうか検出し、正しく復調されている場合はステップ６０９へ分岐、そうでない場合はステップ６１０へ分岐する。
【００３９】
本発明の本実施例によれば、受信した信号のスペクトラムの向きに関らず自動的に復調できる効果がある。
【００４０】
図７は本発明の第５実施例の受信装置の受信方法を示すフローチャートである。図８は前記の実施例の場合と同様である。図７の処理方法は、例えば図８のマイコン８０９によって実行される。以下図７及び図８に従って説明する。
【００４１】
ここで、図８のＱＡＭ復調装置８０４は、入力した信号をデジタルデータに復調するデジタル復調手段と、デジタル復調手段の出力するデジタルデータに対してデータ形式変換および誤り訂正を行なうデータ変換手段を含んでいるものとする。
【００４２】
ステップ７０２において前記デジタル復調手段が復調動作を開始するための設定を行なう。ステップ７０３では、図７の処理が呼び出された回数が第２回目以降であるかどうかを示すフラグを読み出す。ステップ７０３のフラグが第２回目以降を示している場合は、ステップ７０７へ分岐する。そうでない場合は、ステップ７０５へ分岐する。ステップ７０５では前記データ変換手段の動作を開始させるための設定を行なう。ステップ７０６においてステップ７０３で読み出したフラグを、第２回目以降の処理を示すように設定する。
【００４３】
本発明の本実施例によれば、チャンネル変更の際にデータ変換手段の動作開始再設定を行なわないで済むため、全体の選局時間を短縮できる効果がある。
【００４４】
【発明の効果】
本発明によれば，旧チャンネルの放送が行なわれていない場合のみ復調待ち時間を延長するため、新チャンネルでも放送が行われている通常の場合には、短い復調待ち時間のみで済ませることができ、全体の選局時間を短縮することができる効果がある。
【００４５】
また、本発明によれば，新チャンネルの放送が行なわれていない場合に高速に選局処理から復帰することができ、チャンネルサーチ等の処理を非常に高速に行なうことが可能になる効果がある。
【００４６】
また、本発明によれば，チューナＡＧＣの時定数が大きく、旧チャンネルに放送が無く新チャンネルに放送がある場合に、新チャンネル選局後にＡＧＣ電圧がしばらくの時間最小値のままになる場合においても適切な復調待ち時間を設定することが可能であり、安定した復調動作を行なうことができる．
また、本発明によれば，受信した信号のスペクトラムの向きに関らず自動的に復調できる効果がある。
【００４７】
また、本発明によれば，チャンネル変更の際にデータ変換手段の動作開始再設定を行なわないで済むため、全体の選局時間を短縮できる効果がある。
【００４８】
本発明は、以上のような効果があり、デジタル方式のテレビジョン放送受信機等において、短い選局時間で安定した復調動作を行なうことが可能な受信装置を安価に提供するために極めて有効な技術である。
【図面の簡単な説明】
【図１】本発明の第１実施例の受信装置の受信方法の制御電圧変化を示す図である。
【図２】本発明の第１実施例の受信装置の受信方法の制御電圧変化を示す図である。
【図３】本発明の第１実施例の受信方法の処理を示すフローチャート図である。
【図４】本発明の第２実施例の受信方法の処理を示すフローチャート図である。
【図５】本発明の第３実施例の受信方法の処理を示すフローチャート図である。
【図６】本発明の第４実施例の受信方法の処理を示すフローチャート図である。
【図７】本発明の第５実施例の受信方法の処理を示すフローチャート図である。
【図８】本発明の受信装置の構成を示すブロック図である。
【図９】本発明の第２実施例の受信装置の受信方法の制御電圧変化を示す図である。
【符号の説明】
１０１、２０１，９０１…ＡＧＣ電圧
１０３、２０２，９０２…判定基準電圧
８０２…チューナ及びダウンコンバータ
８０４…ＱＡＭ復調装置
８０９…マイコン
【図１】
0003582354.tif 000002
【図２】
0003582354.tif 000003
【図３】
0003582354.tif 000004
【図４】
0003582354.tif 000005
【図５】
0003582354.tif 000006
【図６】
0003582354.tif 000007
【図７】
0003582354.tif 000008
【図８】
0003582354.tif 000009
【図９】
0003582354.tif 000010